(57)【要約】【課題】  耐湿・耐久性を備え、大量の入浴剤を収納可能とすると共に持ち易さを維持して適量の入浴剤を振り出すことができる入浴剤収納缶を提供する。【解決手段】  入浴剤収納缶１００は、耐食性の金属材料から形成され、扁平円形の一例である楕円形の天面１と、同じく楕円形の底面３と、断面楕円形に曲げて形成された筒状胴部５と、を備え、筒状胴部５の天面側端部および天面１の周縁、筒状胴部５の底面側端部および底面３の周縁は、それぞれ隙間のないような全周にわたって連結されている。そして、天面１の長径軸上の一方の端部には、円形に穿設された開口７が、筒状胴部５と連結された周縁に隣接して形成されており、開口７の開口面積は、天面１の面積の１／３以下とされている。【選択図】  図１
2006062674.tif 000002
【特許請求の範囲】
【請求項１】
耐食性の金属材料から形成され、
扁平円形に形成された天面と、
扁平円形に形成された底面と、
両端縁を前記天面及び前記底面の周縁に全周にわたってそれぞれ連結され、断面扁平円形に形成された筒状胴部と、
前記天面に、或いは前記筒状胴部の天面側端部に設けられた開口と、
を有する収納缶本体と、
前記開口を開放および閉鎖する蓋体と、
を備え、
前記開口が、前記天面の面積の１／３以下の面積を有して前記天面に形成され、或いは、前記筒状胴部の面積の１／３以下の面積を有して前記筒状胴部の天面側端部に形成されていることを特徴とする入浴剤収納缶。
【請求項２】
前記扁平円形は、楕円形であることを特徴とする請求項１に記載の入浴剤収納缶。
【請求項３】
前記扁平円形は、トラック形であることを特徴とする請求項１に記載の入浴剤収納缶。
【請求項４】
前記筒状胴部が、軸方向中間部において括れていることを特徴とする請求項１から請求項３のいずれかに記載の入浴剤収納缶。
【請求項５】
前記天面と前記底面とが互いに面積の異なる相似形とされることにより、錐台形に形成されたことを特徴とする請求項１から請求項３のいずれかに記載の入浴剤収納缶。
【請求項６】
前記蓋体が、前記収納缶本体の傾きに応動して前記開口を開放または閉鎖するフラップであることを特徴とする請求項１から請求項５のいずれかに記載の入浴剤収納缶。
【請求項７】
前記蓋体が、扁平円形に形成された蓋天面と、一端縁を前記天面の周縁に全周にわたって連結され断面扁平円形に形成された周壁と、前記周壁に設けられた開口部と、を有し、前記天面および前記筒状胴部の天面側端部を覆うように前記収納缶本体に外嵌して該収納缶本体の軸方向に摺動可能に装着されており、
前記蓋体を前記軸方向に摺動移動させることにより、前記蓋体の開口部を介して、前記収納缶本体の開口が出現することを特徴とする請求項１〜３のいずれかに記載の入浴剤収納缶。
【請求項８】
前記収納缶本体の開口が、前記筒状胴部の天面側端部に設けられており、
前記蓋体の開口部が、開口面積をそれぞれ異にして前記軸方向に平行な一直線上に整列して配置された複数の第２の開口を有しており、
前記蓋体を前記軸方向に摺動移動させることにより、前記開口と前記複数の第２の開口のうちいずれか１つとが重なることを特徴とする請求項７に記載の入浴剤収納缶。
【請求項９】
前記収納缶本体の開口が、前記天面に設けられており、
前記蓋体が、扁平円形に形成された蓋天面と、扁平円形の環状の枠体と、前記蓋天面の周縁部および前記枠体の周縁部とを互いに連結する複数のリブと、を有し、前記天面および前記筒状胴部の天面側端部を覆うように前記収納缶本体に外嵌して該収納缶本体の軸方向に摺動可能に装着されており、
前記蓋体を前記軸方向に摺動移動させることにより、隣り合う前記複数のリブの隙間を介して、前記収納缶本体の開口が出現することを特徴とする請求項１から請求項３のいずれかに記載の入浴剤収納缶。
【請求項１０】
前記筒状胴部の肉厚が、０．１９ｍｍ〜０．２５ｍｍであることを特徴とする請求項１から請求項９のいずれかに記載の入浴剤収納缶。
【発明の詳細な説明】
【技術分野】
【０００１】
本発明は、入浴剤収納缶に関し、より詳細には、粉末状入浴剤を収納する入浴剤収納缶の改良に関する。
【背景技術】
【０００２】
入浴剤を収納する従来の入浴剤収納容器としては、紙製の円筒胴と頂部閉鎖体と底部閉鎖体とからなる中空円柱状の容器の内面を、アルミニウムおよび合成樹脂フィルムで被覆して強化した入浴剤用容器が知られている(例えば、特許文献１参照)。また、主に液体入浴剤用容器として、全体を合成樹脂により形成された容器もある。
【特許文献１】特開２００２−１９３２３８号公報（第２−４頁、第１図）
【発明の開示】
【発明が解決しようとする課題】
【０００３】
入浴剤収納容器は、通常浴室内に設置されており、使用時に入浴剤収納容器から適量の入浴剤を浴槽に振り出して用いられる。特許文献１に開示されている入浴剤収納容器は、紙を基材としてその内面をアルミニウムや合成樹脂フィルムでライニングして補強し、ガスバリア性を向上させた容器であり、機械的強度の問題から大量の入浴剤を収納可能な大容量のものとし難かった。また、紙製であるため湿度に弱く、高湿度の浴室内に長期間設置することができず、浴室での設置には不向きであった。また、形状が中空円柱状であるため、大量の入浴剤を収納可能な大容量なものとなると、直径が大きくなって持ち難くなり、さらに、設置に広い面積を要し、狭い浴室での設置には不向きであった。
【０００４】
湿度に影響されない合成樹脂製の容器は、中空円柱状のものの他に中空楕円柱状のものも提案されているが、従来の合成樹脂製の入浴剤収納容器では、入浴剤を振り出す開口部が天面の大部分（１／２以上）の面積を占めており、入浴剤が出過ぎてしまうことが多く、また、天面が強度不足となる虞があった。そして、合成樹脂製であるために熱による変形や強度不足（特に、持ち難さを軽減させるために楕円柱状に形成した場合に、円柱状のものに比べて強度が低下する）による変形の虞があり、また、香料等の内容成分により変形などが生じることもあり、耐久性の面で改善の余地があった。
【０００５】
本発明は、前述した課題に鑑みてなされたものであり、その目的は、耐湿・耐久性を備え、大量の入浴剤を収納可能とすると共に持ち易さを維持して適量の入浴剤を振り出すことができる入浴剤収納缶を提供することにある。
【課題を解決するための手段】
【０００６】
前述した目的を達成するために、本発明に係る入浴剤収納缶は、下記（１）〜（１０）を特徴としている。
【０００７】
（１）  耐食性の金属材料から形成され、
扁平円形に形成された天面と、
扁平円形に形成された底面と、
両端縁を前記天面及び前記底面の周縁に全周にわたってそれぞれ連結され、断面扁平円形に形成された筒状胴部と、
前記天面に、或いは前記筒状胴部の天面側端部に設けられた開口と、
を有する収納缶本体と、
前記開口を開放および閉鎖する蓋体と、
を備え、
前記開口が、前記天面の面積の１／３以下の面積を有して前記天面に形成され、或いは、前記筒状胴部の面積の１／３以下の面積を有して前記筒状胴部の天面側端部に形成されていること。
【０００８】
（２）  上記（１）に記載の入浴剤収納缶において、
前記扁平円形は、楕円形であること。
【０００９】
（３）  上記（１）に記載の入浴剤収納缶において、
前記扁平円形は、トラック形であること。
【００１０】
（４）  上記（１）〜（３）のいずれかに記載の入浴剤収納缶において、
前記筒状胴部が、軸方向中間部において括れていること。
【００１１】
（５）  上記（１）〜（３）のいずれかに記載の入浴剤収納缶において、
前記天面と前記底面とが互いに面積の異なる相似形とされることにより、錐台形に形成されたこと。
【００１２】
（６）  上記（１）〜（５）のいずれかに記載の入浴剤収納缶において、
前記蓋体が、前記収納缶本体の傾きに応動して前記開口を開放または閉鎖するフラップであること。
【００１３】
（７）  上記（１）〜（３）のいずれかに記載の入浴剤収納缶において、
前記蓋体が、扁平円形に形成された蓋天面と、一端縁を前記天面の周縁に全周にわたって連結され断面扁平円形に形成された周壁と、前記周壁に設けられた開口部と、を有し、前記天面および前記筒状胴部の天面側端部を覆うように前記収納缶本体に外嵌して該収納缶本体の軸方向に摺動可能に装着されており、
前記蓋体を前記軸方向に摺動移動させることにより、前記蓋体の開口部を介して、前記収納缶本体の開口が出現すること。
【００１４】
（８）  上記（７）に記載の入浴剤収納缶において、
前記収納缶本体の開口が、前記筒状胴部の天面側端部に設けられており、
前記蓋体の開口部が、開口面積をそれぞれ異にして前記軸方向に平行な一直線上に整列して配置された複数の第２の開口を有しており、
前記蓋体を前記軸方向に摺動移動させることにより、前記開口と前記複数の第２の開口のうちいずれか１つとが重なること。
【００１５】
（９）  上記（１）〜（３）のいずれかに記載の入浴剤収納缶において、
前記収納缶本体の開口が、前記天面に設けられており、
前記蓋体が、扁平円形に形成された蓋天面と、扁平円形の枠体と、前記蓋天面の周縁部および前記枠体の周縁部とを互いに連結する複数のリブと、を有し、前記天面および前記筒状胴部の天面側端部を覆うように前記収納缶本体に外嵌して該収納缶本体の軸方向に摺動可能に装着されており、
前記蓋体を前記軸方向に摺動移動させることにより、隣り合う前記複数のリブの隙間を介して、前記収納缶本体の開口が出現すること。
【００１６】
（１０）  上記（１）〜（９）のいずれかに記載の入浴剤収納缶において、
前記筒状胴部の肉厚が、０．１９ｍｍ〜０．２５ｍｍであること。
【００１７】
上記（１）の構成の入浴剤収納缶によれば、収納缶本体は、扁平円形の天面および底面と、両端縁を前記天面及び前記底面の周縁に全周にわたってそれぞれ連結されて断面扁平円形に形成された筒状胴部と、により全体として断面扁平円形の筒状に形成されている。  これにより、大容量の収納缶とした場合にも、断面真円形の収納缶に比べて筒状胴部の一側部の曲率半径を小さくすることができ、該一側部を把持することで持ち易さを向上させることができる。そして、開口が、天面の１／３以下の面積を有して該天面に、或いは、筒状胴部の１／３以下の面積を有して該筒状胴部に形成されているので、天面、或いは、筒状胴部の強度を確保することができると共に適量の入浴剤を振り出すことができ、収納缶自体の持ち易さと相まって、比較的力の弱い家庭婦人でも容易に取り扱うことができる。尚、開口が筒状胴部に形成される場合には、好ましくは筒状胴部の１／６以下の面積とされる。これにより、入浴剤の振り出し量を適量としながら且つ筒状胴部の強度をより向上させることができる。
【００１８】
上記（２）の構成の入浴剤収納缶によれば、入浴剤収納缶の断面形状が楕円形であるので、持ち易く、取り扱い易い。
【００１９】
上記（３）の構成の入浴剤収納缶によれば、入浴剤収納缶の断面形状がトラック形（即ち、互いに平行な一対の直線と、該一対の直線の対応する端部同士を連結する２つの半円とにより構成される輪郭）であるので、持ち易く、取り扱い易い。さらに、浴室の壁面に直線部を沿わせることにより、安定して設置することができる。
【００２０】
上記（４）の構成の入浴剤収納缶によれば、括れ部分を把持することにより、大容量の容器であっても把持部分の曲率半径をさらに小さくすることができ、よって、持ち易く、取り扱い易い。
【００２１】
上記（５）の構成の入浴剤収納缶によれば、使用時には、天面または底面のうち面積の小さい側の端部を把持することにより持ち易く、また設置時には、天面と底面のうち面積の大きい面を下に向けて設置することにより、安定して浴室内に設置することができる。
【００２２】
上記（６）の構成の入浴剤収納缶によれば、前記蓋体が、収納缶本体の傾きに応動して前記開口を開放または閉鎖するフラップであり、使用時に収納缶を傾けることによりフラップが自動的に開口を開放し、また収納缶の傾きを戻すことにより自動的に開口を閉鎖する。よって、使用の都度、開口から例えばキャップを取り外し、或いはキャップを嵌める必要がなく、取り扱いが容易となる。
【００２３】
上記（７）の構成の入浴剤収納缶によれば、蓋体を前記軸方向に沿って摺動移動させることにより、蓋体の開口部を介して収納缶本体の開口が出現するようにしており、収納缶本体の開口を容易に開放および閉鎖することができる。そして、収納缶本体の天面に形成された開口が蓋天面により覆われているので、上方から水滴が落下しても蓋天面で受けることができ、入浴剤の濡れを防止することができる。さらに、使用時に蓋体を収納缶本体から分離することがなく、よって、紛失してしまうことが防止され、取り扱いが容易となる。
【００２４】
上記（８）の構成の入浴剤収納缶によれば、蓋体の開口部に設けられた面積のそれぞれ異なる複数の第２の開口のうち任意の第２の開口を、収納缶本体の開口に重ねることにより、該開口から振り出される入浴剤の量を調節することができる。
【００２５】
上記（９）の構成の入浴剤収納缶によれば、蓋体を軸方向に摺動移動させるだけで、収納缶本体の開口を容易に開放および閉鎖することができる。そして、収納缶本体の天面に形成された開口が蓋天面により覆われているので、上方から水滴が落下しても蓋天面で受けることができ、入浴剤の濡れを防止することができる。さらに、蓋体を、蓋天面と、枠体と、蓋天面の周縁部および枠体の周縁部とを互いに連結する複数のリブとを有する構成によりケージ状に形成しており、軽量化することができ、取り扱いが容易となる。
【００２６】
上記（１０）の構成の入浴剤収納缶によれば、筒状胴部の肉厚が、０．１９ｍｍ〜０．２５ｍｍとされているので、機械的強度（例えば、適切な折曲強度）を確保することができ、断面扁平円形の収納缶において筒状胴部を把持しても凹むことがない。また万一、入浴剤収納缶を落下させても入浴剤収納缶が破損することがない。
【発明の効果】
【００２７】
本発明の入浴剤収納缶によれば、耐湿・耐久性を備え、大量の入浴剤を収納可能とすると共に持ち易さを維持して適量の入浴剤を振り出すことができる入浴剤収納缶を提供することができる。
【００２８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２９】
以下、本発明に係る好適な各実施形態を図面に基づいて詳細に説明する。
【００３０】
（第１実施形態）
図１は本発明の第１実施形態である入浴剤収納缶の斜視図である。図１に示されるように、入浴剤収納缶１００は、扁平円形の一例である楕円形の天面１と、同じく楕円形の底面３と、断面楕円形に曲げて形成された筒状胴部５とを備えている。筒状胴部５の天面側端部および天面１の周縁、筒状胴部５の底面側端部および底面３の周縁は、それぞれ隙間のないような全周にわたって連結され、天面１、底面３、および筒状胴部５とによって収納空間が画成され、該収納空間内に粉末状入浴剤が収納可能となっている。
【００３１】
天面１、底面３および筒状胴部５は、耐食性を有する金属材料から形成されており、その肉厚は０．１９ｍｍ〜０．２５ｍｍとされている。耐食性を有する金属材料としては、表面にメッキなどの不錆性処理が施された、例えばブリキ等を用いることができる。尚、肉厚を０．１９ｍｍ以上としたのは、これより薄いと機械的強度が弱く、入浴剤収納缶１００を把持(特に、楕円形の長径軸に略沿った筒状胴部５の一対の側面部分を把持)したとき、筒状胴部５が凹み易くなるからであり、また肉厚を０．２５ｍｍ以下としたのは、これ以上厚くするのは過剰品質となり、更に入浴剤収納缶１００の重量が重くなって取り扱い難くなるためである。
【００３２】
天面１の長径軸上の一方の端部には、円形に穿設された開口７が、筒状胴部５と連結された周縁に隣接して形成されている。開口７の開口面積は、天面１の面積の１／３以下とされている。開口７には、例えば、ゴム、合成樹脂、耐食性を有する金属材料などにより形成された不図示のキャップ（蓋体）が嵌合される。また、磁気シートなどのように天面１に着脱可能なシート部材であってもよい。
【００３３】
上述したように、入浴剤収納缶１００は、全体として断面楕円形の筒状に形成されている。これにより、多量の入浴剤を収納すべく大容量の収納缶とした場合にも、断面真円形の収納缶に比べて長径軸の端部にあたる筒状胴部５の一側部の曲率半径を小さくすることができ、該一側部を把持することで入浴剤収容缶１００を容易に持つことができ、取り扱い易い。そして、開口７が、天面１の１／３以下の面積を有して天面１に形成されているので、天面１の強度を確保することができると共に適量の入浴剤を振り出すことができ、収納缶１００自体の持ち易さと相まって、比較的力の弱い家庭婦人でも容易に取り扱うことができる。また、開口７が筒状胴部５と連結された天面１の周縁に隣接して形成されているので、入浴剤を振り出し易く、また、前記収納空間内において、前記周縁に引っ掛かって残留する入浴剤をなくし、無駄なく使用することができる。
【００３４】
（第２実施形態）
次に、第２実施形態の入浴剤収納缶を図２を参照して説明する。図２は本発明の第２実施形態である入浴剤収納缶の斜視図である。
【００３５】
図２に示されるように、第２実施形態の入浴剤収納缶２００は、入浴剤収納缶１００と同様に全体として断面楕円形の筒状に形成され、開口９が筒状胴部５の天面側端部に設けられている以外は、第１実施形態の入浴剤収納缶１００と同様であるので、同一部分には同一符号又は相当符号を付して説明を簡略化又は省略する。
【００３６】
開口９は、筒状胴部５の天面側端部において、長径軸の端部にあたる筒状胴部５の一側部に設けられており、天面１と連結された筒状胴部５の天面側端部の周縁に隣接して設けられている。そして、開口９の開口面積は、筒状胴部５の表面積の１／３以下、好ましくは１／６以下の面積となっている。
【００３７】
上述したように、入浴剤収納缶２００は、全体として断面楕円形の筒状に形成されている。これにより、多量の入浴剤を収納すべく大容量の収納缶とした場合にも、断面真円形の収納缶に比べて長径軸の端部にあたる筒状胴部５の一側部の曲率半径を小さくすることができ、該一側部を把持することで入浴剤収容缶２００を容易に持つことができ取り扱い易い。そして、開口９が、筒状胴部５の表面積の１／３以下の面積を有して筒状胴部５の天面側端部に形成されているので、筒状胴部５の強度を確保することができると共に適量の入浴剤を振り出すことができ、収納缶２００自体の持ち易さと相まって、比較的力の弱い家庭婦人でも容易に取り扱うことができる。また、開口９が、天面１と連結された筒状胴部５の天面側端部の周縁に隣接して設けられているので、入浴剤を振り出し易く、また、前記収納空間内において、前記周縁に引っ掛かって残留する入浴剤をなくし、無駄なく使用することができる。
【００３８】
即ち、入浴剤収納缶２００によれば、断面楕円（扁平円形）缶であるので持ちやすく且つ、側面となる筒状胴部の上端部に振り出し口となる開口を設けているので、入浴剤を振り出しやすく、水が入り難く、且つ入浴剤を全量振り出すことができる。その他の作用や効果については、第１実施形態と同様であるので説明を省略する。
【００３９】
（第３実施形態）
次に、第３実施形態の入浴剤収納缶を図３および図４を参照して説明する。図３は本発明の第３実施形態である入浴剤収納缶の斜視図、図４は図３に示す入浴剤収納缶の上面図である。
【００４０】
図３および図４に示されるように、第３実施形態の入浴剤収納缶３００は、天面１１および底面１３の形状および筒状胴部１５の断面形状が、トラック形、即ち、互いに平行な一対の直線（１１ｂ）と該一対の直線の対応する端部同士を連結する２つの半円（１１ｃ）とにより構成された輪郭を呈している。
【００４１】
半円１１ｃにより境界付けられた天面１１の一方の端部には、円形に穿設された開口１７が、筒状胴部１５と連結された周縁に隣接して形成されている。開口１７の開口面積は、天面１１の面積の１／３以下の面積となっている。
【００４２】
その他の部分については、本発明の第１の実施形態の入浴剤収納缶１００と同様であるので、同一部分には同一符号又は相当符号を付して説明を簡略化又は省略する。
【００４３】
上述したように、入浴剤収納缶３００は、全体として断面トラック形の筒状に形成されている。これにより、多量の入浴剤を収納すべく大容量の収納缶とした場合にも、断面真円形の収納缶に比べて、断面において半円により境界付けられた筒状胴部１５の一側部の曲率半径を小さくすることができ、該一速部を把持することで入浴剤収納缶３００を容易に持つことができ、取り扱い易い。そして、開口１７が、天面１１の１／３以下の面積を有して天面１１に形成されているので、天面１１の強度を確保することができると共に適量の入浴剤を振り出すことができ、収納缶３００自体の持ち易さと相まって、比較的力の弱い家庭婦人でも容易に取り扱うことができる。また、開口１７が筒状胴部１５と連結された天面１１の周縁に隣接して形成されているので、入浴剤を振り出し易く、また、前記収納空間内において、前記周縁に引っ掛かって残留する入浴剤をなくし、無駄なく使用することができる。さらに、浴室の壁面に筒状胴部１５の平面部分（即ち、断面において直線によって境界付けられた筒状胴部１５の一側面）を沿わせることにより、安定して設置することができる。
【００４４】
入浴剤収納缶３００の他の作用や効果については、第１実施形態と同様であるので説明を省略する。
【００４５】
（第４実施形態）
次に、第４実施形態の入浴剤収納缶を図５を参照して説明する。図５は本発明の第４実施形態である入浴剤収納缶の斜視図である。
【００４６】
図５に示されるように、第４実施形態の入浴剤収納缶４００は、楕円形に形成された天面２１と底面２３の周縁を繋ぐ筒状胴部２５の中間部２５ａが、天面２１及び底面２３に比べて面積の小さな楕円形とされ、中央部が括れた略鼓状に形成されている。
【００４７】
天面２１の長径軸上の一方の端部には、円形に穿設された開口２７が、筒状胴部２５と連結された周縁に隣接して形成されている。開口２７の開口面積は、天面２１の面積の１／３以下の面積となっている。
【００４８】
その他の部分については、本発明の第１の実施形態の入浴剤収納缶１００と同様であるので、同一部分には同一符号又は相当符号を付して説明を簡略化又は省略する。
【００４９】
上述したように、入浴剤収納缶４００は、断面楕円形の筒状で中央部が括れた略鼓状に形成されている。これにより、多量の入浴剤を収納すべく大容量の収納缶とした場合にも、断面真円形の収納缶に比べて、長径軸の端部にあたる筒状胴部２５の一側部の曲率半径を小さくすることができ、さらに、括れ部分（即ち、中間部２５ａ近傍）においては一層曲率半径を小さくすることができる。この括れ部分の前記一側部を把持することで入浴剤収容缶４００を容易に持つことができ、取り扱い易い。そして、開口２７が、天面２１の１／３以下の面積を有して天面２１に形成されているので、天面２１の強度を確保することができると共に適量の入浴剤を振り出すことができ、収納缶４００自体の持ち易さと相まって、比較的力の弱い家庭婦人でも容易に取り扱うことができる。また、開口２７が筒状胴部２５と連結された天面２１の周縁に隣接して形成されているので、入浴剤を振り出し易く、また、前記収納空間内において、前記周縁に引っ掛かって残留する入浴剤をなくし、無駄なく使用することができる。
【００５０】
入浴剤収納缶４００の他の作用や効果については、第１実施形態と同様であるので説明を省略する。尚、本実施形態において天面２１、底面２３及び、筒状胴部２５の断面形状はトラック形であってもよい。
【００５１】
（第５実施形態）
次に、第５実施形態の入浴剤収納缶を図６および図７を参照して説明する。図６は本発明の第５実施形態である入浴剤収納缶の斜視図、図７は図６に示す入浴剤収納缶を倒立させた状態における入浴剤収納缶の斜視図である。
【００５２】
図６および図７に示されるように、第５実施形態の入浴剤収納缶５００は、互いに相似形であり大きな面積を有する楕円形の天面３１と、小さな面積を有する楕円形の底面３３と、を有する。天面３１の周縁および底面３３の周縁には、横断面において天面３１から底面３３に向かうに従って次第に面積が小さくなるようにテーパとされ、且つ楕円形となるように曲げられて形成された側壁３５の両端部が連結されており、入浴剤収納缶５００は、断面楕円の錐台形（横断面が楕円形である近似円錐体から該近似円錐体の頂点を含む一部を削除した形状）となっており、内部に形成された収納空間に粉末状入浴剤を収納するようになっている。
【００５３】
天面３１の長径軸上の一方の端部には、円形に穿設された開口３７が、筒状胴部３５と連結された周縁に隣接して形成されている。開口部３７の開口面積は、天面３１の面積の１／３以下の面積となっている。
【００５４】
その他の部分については、本発明の第１の実施形態の入浴剤収納缶１００と同様であるので、同一部分には同一符号又は相当符号を付して説明を簡略化又は省略する。
【００５５】
上述したように、入浴剤収納缶５００は、断面楕円形の筒状で且つテーパ状に形成されている。これにより、多量の入浴剤を収納すべく大容量の収納缶とした場合にも、断面真円形の収納缶に比べて長径軸の端部にあたる筒状胴部３５の一側部の曲率半径を小さくすることができ、さらに、面積の小さい底面３３側の端部においては一層曲率半径を小さくすることができる。底面３３側の端部の前記一側部を把持することで入浴剤収容缶５００を容易に持つことができ、取り扱い易い。そして、開口３７が、天面３１の１／３以下の面積を有して天面３１に形成されているので、天面３１の強度を確保することができると共に適量の入浴剤を振り出すことができ、収納缶５００自体の持ち易さと相まって、比較的力の弱い家庭婦人でも容易に取り扱うことができる。また、開口３７が筒状胴部３５と連結された天面３１の周縁に隣接して形成されているので、入浴剤を振り出し易く、また、前記収納空間内において、前記周縁に引っ掛かって残留する入浴剤をなくし、無駄なく使用することができる。そして、設置時には、面積の大きい天面３１を下に向けて設置することにより、安定して浴室内に設置することができる。
【００５６】
入浴剤収納缶５００の他の作用や効果については、第１実施形態と同様であるので説明を省略する。尚、本実施形態において天面３１、底面３３及び、筒状胴部３５の断面形状はトラック形であってもよい。
【００５７】
（第６実施形態）
次に、第６実施形態の入浴剤収納缶を図８から図１０を参照して説明する。図８は本発明の第６実施形態である入浴剤収納缶の斜視図であり、（ａ）は高さの低い入浴剤収納缶の斜視図、（ｂ）は高さが高い入浴剤収納缶の斜視図、図９は入浴剤収納缶の開口に設けられるフラップの平面図、図１０は入浴剤収納缶の開口に設けられる他の形式のフラップの平面図である。
【００５８】
図８（ａ）および図８（ｂ）に示されるように、第６実施形態の入浴剤収納缶６００は、楕円形の天面４１と、同じく楕円形の底面４３と、断面楕円形に曲げて形成された筒状胴部４５とを有する収納缶本体４０を備えている。筒状胴部４５の天面側端部および天面４１の周縁、筒状胴部４５の底面側端部および底面４３の周縁は、それぞれ隙間のないような全周にわたって連結され、天面４１、底面４３、および筒状胴部４５とによって収納空間が画成され、該収納空間内に粉末状入浴剤が収納可能となっている。
【００５９】
開口４７は、筒状胴部４５の天面側端部において、長径軸の端部にあたる筒状胴部４５の一側部に設けられており、天面４１と連結された筒状胴部４５の天面側端部の周縁に隣接して設けられている。開口４７の開口面積は、筒状胴部４５の表面積の１／３以下とされている。そして、開口４７を開放および閉鎖するフラップ（蓋体）４９が設けられている。
【００６０】
フラップ４９は、図９に示されるように、例えば、ゴムなどの弾性を有する円形のシート状材料から形成され、この円形シートの周縁部を、開口４７を画成する筒状胴部４５の開口縁部４５ａの周縁に接着剤等を用いて接着されており、そして、接着された前記周縁部の内側に、破断した略円形の（即ち、円弧状の）切れ目４９ｃが設けられて略円形の蓋部４９ｂが形成されている。切り込まれずに残された一部（即ち、円弧状の切れ目４９ｃの両開放端を繋ぐ直線部分）４９ａは弾性ヒンジとして機能し、弾性ヒンジ４９ａを支点として円形蓋部４９ｂが開閉可能とされている。
【００６１】
他の形式のフラップ５０は、図１０に示されるように、例えば、ゴムなどの弾性を有する円形のシート状材料から形成され、この円形シートの周縁部を、開口４７を画成する筒状胴部４５の開口縁部４５ａの周縁に接着剤等を用いて接着されており、そして、円形シートの中心ＣＰから接着された前記周縁部に向けて放射状に伸びる複数の切り込み５０ａにより略扇形の複数の蓋部５０ｂが形成されている。接着された前記周縁部との接続部分５０ｃは弾性ヒンジとして機能し、弾性ヒンジ５０ｃを支点として複数の蓋部５０ｂは開閉可能とされている。
【００６２】
入浴剤収納缶６００から入浴剤を振り出す際に収納缶本体４０を傾けた場合に、このフラップ４９，５０は、蓋部４９，５０ｂに載った入浴剤の重量や蓋部４９，５０ｂの重量によって弾性ヒンジ４９ａ，５０ｃが弾性変形し、該弾性ヒンジ４９ａ，５０ｃを支点として蓋部４９，５０ｂが開き、開口４７が自動的に開放される。そして、収納缶本体４０の傾きを戻すに伴って、蓋部４９，５０ｂの重量が弾性ヒンジ４９ａ，５０ｃが弾性変形に寄与しなくなり、また、蓋部４９，５０ｂに載った入浴剤が前記収納空間に戻されるので、弾性ヒンジ４９ａ，５０ｃが弾性変形から復帰して開口４７が自動的に閉鎖される。
【００６３】
その他の部分については、本発明の第１の実施形態の入浴剤収納缶１００と同様であるので、同一部分には同一符号又は相当符号を付して説明を簡略化又は省略する。
【００６４】
入浴剤収納缶６００によれば、フラップ４９，５０が、収納缶本体４０の傾きに応動して開口４７を開放または閉鎖し、使用時に収納缶本体４０を傾けることによりフラップ４９，５０が自動的に開口４７を開放し、また収納缶本体４０の傾きを戻すことにより自動的に開口４７を閉鎖することができる。よって、使用の都度、開口４７から例えばキャップを取り外し、或いはキャップを嵌める必要がなく、取り扱いが容易となる。
【００６５】
入浴剤収納缶６００の他の作用や効果については、第１実施形態と同様であるので説明を省略する。尚、フラップ４９，５０の切り込みは、製品出荷時には切り込みの目印となる線状凹部のみを形成しておき、使用するときに使用者が該目印に沿って切り込みを入れるようにしてもよい。また、本実施形態において天面４１、底面４３及び、筒状胴部４５の断面形状はトラック形であってもよい。
【００６６】
（第７実施形態）
次に、第７実施形態の入浴剤収納缶を図１１を参照して説明する。図１１は本発明の第７実施形態である入浴剤収納缶の斜視図である。
【００６７】
図１１に示されるように、第７実施形態の入浴剤収納缶７００は、収納缶本体５０と蓋体５９とを備えている。収納缶本体５０は、楕円形の天面５１と、同じく楕円形の底面５３と、断面楕円形に曲げて形成された筒状胴部５５と、を備えている。筒状胴部５５の天面側端部および天面５１の周縁、筒状胴部５５の底面側端部および底面５３の周縁は、それぞれ隙間のないような全周にわたって連結され、天面５１、底面５３、および筒状胴部５５とによって収納空間が画成され、該収納空間内に粉末状入浴剤が収納可能となっている。
【００６８】
開口５７は、筒状胴部５５の天面側端部において、長径軸の端部にあたる筒状胴部５５の一側部に設けられており、天面５１と連結された筒状胴部５５の天面側端部の周縁に隣接して設けられている。開口５７の開口面積は、筒状胴部５５の表面積の１／３以下とされている。
【００６９】
蓋体５９は、楕円形に形成された蓋天面６１と、一端縁を前記天面の周縁に全周にわたって連結され断面楕円形に形成された周壁６５とを備えている。周壁６５の内周面の断面における長径および短径は、それぞれ、筒状胴部５５の外周面の断面における長径および短径よりも、それぞれ僅かに大きい径とされており、蓋体５９は、天面５１および筒状胴部５５の天面側端部を覆うように収納缶本体５０に外嵌して収納缶本体５０の軸方向（図１１において矢印Ａ，Ｂ方向）に摺動可能に装着されている。
【００７０】
開口５７を設けられた筒状胴部５５の前記一側部と摺接する蓋体５９の周壁６５の一側部には、開口部６７が設けられており、この開口部６７には、開口面積をそれぞれ異にして円形に穿設された３個の第２の開口６７ａ，６７ｂ，６７ｃが、前記軸方向に平行な一直線上に整列して配置されている。３つの第２の開口６７ａ，６７ｂ，６７ｃにおいて、天面６１側に配置された開口６７ａの開口面積が最も小さく、６７ｂ，６７ｃの順に順次、開口面積が大きく設定されており、第２の開口６７ｃおよび開口５７の開口面積は略等しく設定されている。
【００７１】
蓋体５９が収納缶本体５０に最も深く嵌合したとき、換言すれば、蓋体５９の蓋天面６１と収納缶本体５０の天面５１とが近接若しくは接触しているとき、収納缶本体５０の開口５７は、蓋体５９の周壁６５により閉鎖されている。そして、蓋体５９を軸方向上方（図１１において矢印Ａ方向）に摺動移動させると、蓋体５９の第２の開口６７ａ，６７ｂ，６７ｃが収納缶本体５０の開口５７に順次一致し、開口５７を外部に連通させる。これにより、収納缶本体５０に収納された入浴剤を振り出すことができる。尚、３つの第２の開口６７ａ，６７ｂ，６７ｃは、互いに異なる開口面積を有するので、所望の振り出し量に応じて第２の開口６７ａ，６７ｂ，６７ｃのうち任意の開口を選択することにより、振り出し量を調節することができる。
【００７２】
尚、蓋体５９は、収納缶本体５０と同様の金属製としてもよく、或いは、合成樹脂により形成してもよい。また、蓋体５９の過度の移動を防止して、蓋体５９が収納缶本体５０から抜け落ちるのを阻止する抜け止め機構を、蓋体５９および収納缶本体５０に設けてもよい。
【００７３】
その他の部分については、本発明の第１の実施形態の入浴剤収納缶１００と同様であるので、同一部分には同一符号又は相当符号を付して説明を簡略化又は省略する。
【００７４】
入浴剤収納缶７００によれば、蓋体５９を前記軸方向に沿って摺動移動させることにより、蓋体５９の開口部６７を介して収納缶本体５０の開口５７が出現するようにしており、使用時に蓋体５９を収納缶本体５０から分離することがなく、よって、紛失してしまうことが防止され、取り扱いが容易となる。また、蓋体５９の開口部６７に開口面積のそれぞれ異なる複数の第２の開口６７ａ，６７ｂ，６７ｃを設け、蓋体５９を前記軸方向に沿って摺動移動させ、任意の第２の開口を収納缶本体５０の開口５７に一致させることにより、開口５７から振り出される入浴剤の量を調節することができる。
【００７５】
入浴剤収納缶７００の他の作用や効果については、第１実施形態と同様であるので説明を省略する。尚、本実施形態において収納缶本体５０および蓋体５９の断面形状はトラック形であってもよい。
【００７６】
（第８実施形態）
次に、第８実施形態の入浴剤収納缶を図１２を参照して説明する。図１２は本発明の第８実施形態である入浴剤収納缶の斜視図である。
【００７７】
図１２に示されるように、第８実施形態の入浴剤収納缶８００は、収納缶本体８０と、蓋体８９とを備える。収納缶本体８０は、楕円形の天面８１と、同じく楕円形の底面８３と、断面楕円形に曲げて形成された筒状胴部８５と、を備えている。筒状胴部８５の天面側端部および天面８１の周縁、筒状胴部８５の底面側端部および底面８３の周縁は、それぞれ隙間のないような全周にわたって連結され、天面８１、底面８３、および筒状胴部８５とによって収納空間が画成され、該収納空間内に粉末状入浴剤が収納可能となっている。
【００７８】
天面８１の長径軸上の一方の端部には、円形に穿設された開口８７が、筒状胴部８５と連結された周縁に隣接して形成されている。開口８７の開口面積は、天面８１の面積の１／３以下とされている。
【００７９】
蓋体８９は、楕円形の蓋天面９１と、楕円形の内周面９３ａが設けられ楕円環状に形成された枠体９３と、蓋天面９１の周縁部と枠体９３の周縁部と互いに連結する複数のリブ９５とを備えている。複数のリブ９５は互いに所定の間隔をおいて配置されている。枠体９３の内周面９３ａの長径および短径は、筒状胴部８５の外周面の断面における長径および短径よりも、それぞれ僅かに大きい径とされており、蓋体８９は、天面８１および筒状胴部８５の天面側端部を覆うように収納缶本体８０に外嵌して収納缶本体８０の軸方向（図１２において矢印Ｃ，Ｄ方向）に沿って摺動可能に装着されている。
【００８０】
蓋体８９を矢印Ｄ方向に移動させて蓋天面９１を収納缶本体８０の天面８１に接触させることにより、収納缶本体８０の開口８７が蓋体８９の蓋天面９１により閉鎖される。また、蓋体８９を矢印Ｃ方向に移動させると、蓋天面９１、枠体９３、および所定の間隔をおいて隣り合う２つのリブ９５，９５によって画成された略矩形状の開口を介して収納缶本体８０の開口８７が出現し、即ち、開口８７が開放され、入浴剤収納缶８００に収納された入浴剤が振り出し可能となる。
【００８１】
尚、蓋体８９は、必ずしも金属製とする必要はなく、合成樹脂により形成してもよい。  また、蓋体８９の過度の移動を防止して、蓋体８９が収納缶本体８０から抜け落ちることを阻止する抜け止め機構を、蓋体８９および収納缶本体８０に設けてもよい。
【００８２】
その他の部分については、本発明の第１の実施形態の入浴剤収納缶１００と同様であるので、同一部分には同一符号又は相当符号を付して説明を簡略化又は省略する。
【００８３】
入浴剤収納缶８００によれば、蓋体８９を軸方向に摺動移動させるだけで、容易に収納缶本体８０の開口８７を開放および閉鎖することができる。そして、収納缶本体８０の天面に形成された開口８７が蓋天面９１により覆われているので、上方から水滴が落下しても蓋天面９１で受けることができ、入浴剤の濡れを防止することができる。さらに、蓋体８９を、蓋天面９１と、枠体９３と、蓋天面の周縁部および枠体の周縁部とを互いに連結する複数のリブ９５とを有する構成によりケージ状に形成しており、軽量化することができ、取り扱いが容易となる。
【００８４】
入浴剤収納缶８００の他の作用や効果については、第１実施形態と同様であるので説明を省略する。尚、本実施形態において収納缶本体８０および蓋体８９の断面形状はトラック形であってもよい。
【００８５】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００８６】
例えば、前述した第３実施形態〜第５実施形態では、収納缶本体の開口が天面に設けられたものとして説明したが、本発明はこれに限定されず、筒状胴部の天面側端部に設けるようにしてもよい。また、第６実施形態では、収納缶本体の開口が筒状胴部の天面側端部に設けられたものとして説明したが、天面に設けるようにしてもよい。
【図面の簡単な説明】
【００８７】
【図１】本発明の第１実施形態である入浴剤収納缶の斜視図である。
【図２】本発明の第２実施形態である入浴剤収納缶の斜視図である。
【図３】本発明の第３実施形態である入浴剤収納缶の斜視図である。
【図４】図３に示す入浴剤収納缶の上面図である。
【図５】本発明の第４実施形態である入浴剤収納缶の斜視図である。
【図６】本発明の第５実施形態である入浴剤収納缶の斜視図である。
【図７】図６に示す入浴剤収納缶を倒立させた状態における入浴剤収納缶の斜視図である。
【図８】本発明の第６実施形態である入浴剤収納缶の斜視図であり、（ａ）は高さの低い楕円形入浴剤収納缶の斜視図、（ｂ）は高さの高い楕円形入浴剤収納缶の斜視図である。
【図９】図８における入浴剤収納缶の開口に設けられるフラップの平面図である。
【図１０】図８における入浴剤収納缶の開口に設けられた他の形式のフラップの平面図である。
【図１１】本発明の第７実施形態である入浴剤収納缶の斜視図である。
【図１２】本発明の第８実施形態である入浴剤収納缶の斜視図である。
【符号の説明】
【００８８】
１００    入浴剤収納缶
１        天面
３        底面
５        筒状胴部
７        開口部
【図１】
2006062674.tif 000003
【図２】
2006062674.tif 000004
【図３】
2006062674.tif 000005
【図４】
2006062674.tif 000006
【図５】
2006062674.tif 000007
【図６】
2006062674.tif 000008
【図７】
2006062674.tif 000009
【図８】
2006062674.tif 000010
【図９】
2006062674.tif 000011
【図１０】
2006062674.tif 000012
【図１１】
2006062674.tif 000013
【図１２】
2006062674.tif 000014